(57)【特許請求の範囲】
【請求項１】
原稿が置かれる原稿台を備えた装置本体と、
前記原稿台に置かれた原稿に光を照射する照射部を備え、予め定められた移動経路に沿って移動可能に設けられた移動部材と、
前記照射部から照射され前記原稿により反射された光を受光する受光部と、
前記装置本体に開閉可能に設けられ、閉じられた際に前記原稿台に置かれた原稿を押さえる押さえ部を有した開閉部材と、
前記開閉部材に設けられ当該開閉部材の閉動作に伴い予め定められた突出箇所にて前記移動経路上に突出し、当該突出箇所を挟んで相対する一方側および他方側のうちの当該一方側に位置する前記移動部材の当該他方側への移動を規制するとともに、当該開閉部材の開動作に伴い当該移動経路上から退避し当該規制を解除する突出部と、
を備え、
前記突出部は、前記開閉部材が前記装置本体に対し閉じられた状態において前記他方側から前記一方側へ向かう前記移動部材が当該一方側まで移動できるように構成されていることを特徴とする画像読み取り装置。
【請求項２】
前記突出部は、
前記開閉部材に取り付け当該開閉部材から前記装置本体に向かって突出するように設けられた第１の部材と、
前記第１の部材に取り付けられるとともに当該第１の部材に取り付けられた取り付け部を中心に揺動可能に設けられ且つ当該取り付け部から前記装置本体に向かって延びるように設けられ、当該装置本体側に自由端を有し当該取り付け部を挟み当該自由端側とは反対側に他端を有した第２の部材と、
を備え、
前記第２の部材の前記自由端が前記一方側に向かって移動するように当該第２の部材の揺動が行われることで前記他方側から当該一方側へ向かう前記移動部材が当該一方側へ移動し、
前記第２の部材の前記自由端が前記他方側に向かって移動するように当該第２の部材の揺動が行われたときには当該第２の部材の前記他端側が前記第１の部材に接触して当該揺動が規制され、揺動が規制された当該第２の部材によって、前記一方側に位置する前記移動部材の当該他方側への移動が規制されることを特徴とする請求項１記載の画像読み取り装置。
【請求項３】
前記移動部材は、所定範囲を移動しながら前記照射部を用い前記原稿台に置かれた原稿に光を照射し、
前記突出部は、前記移動部材の前記所定範囲における移動を規制しない位置にて前記規制を行うことを特徴とする請求項１又は２に記載の画像読み取り装置。
【請求項４】
前記突出部は、前記開閉部材の前記閉動作に伴い前記装置本体に設けられた貫通孔を通じて前記移動経路上に突出し、
前記装置本体には、矩形状に形成され、第１の側辺と第１の側辺とは反対側に位置する第２の側辺とを含む４つの側辺を有した上面が設けられ、
前記原稿台は、矩形状に形成され４つの側辺を有するとともに前記装置本体の前記上面に設けられ、且つ、当該４つの側辺のうちの一の側辺が前記装置本体の前記上面が有する前記４つの側辺の何れかの側辺に沿うように設けられ、
前記開閉部材は、前記上面が有する前記４つの側辺のうちの前記第１の側辺に沿うように配置された回転軸であって当該第１の側辺側に寄せられた回転軸を中心に回転することで前記装置本体に対する前記開閉を行い、
前記貫通孔は、矩形状に形成された前記原稿台の短辺に隣接した領域以外の領域および当該原稿台の長辺に隣接した領域以外の領域に設けられているとともに、前記第１の側辺側に位置する領域および前記第２の側辺側に位置する領域のうちの当該第１の側辺側に位置する領域に設けられていることを特徴とする請求項１乃至３のいずれかに記載の画像読み取り装置。
【請求項５】
前記突出部は、前記一方側に位置する前記移動部材の前記他方側への移動であって一方向に向かう移動を規制し、
前記一方側に位置する前記移動部材の前記一方向とは反対方向への移動を規制する規制部を更に備えることを特徴とする請求項１乃至４のいずれかに記載の画像読み取り装置。
【請求項６】
前記突出部は、前記一方側に位置する前記移動部材であって予め定められた所定箇所に位置する当該移動部材の前記他方側への移動を規制し、
電源スイッチと、
前記電源スイッチに対しオフ操作がなされた際に前記移動部材を前記所定箇所へ移動させ、当該電源スイッチに対しオン操作がなされた際に当該移動部材を前記他方側へ移動させる制御部と、を更に備えることを特徴とする請求項１乃至５の何れかに記載の画像読み取り装置。
【請求項７】
前記電源スイッチは、前記開閉部材の開操作を行わなければ前記オン操作および前記オフ操作ができないように配置されていることを特徴とする請求項６記載の画像読み取り装置。
【請求項８】
前記開閉部材は、当該開閉部材が閉じられている場合に前記電源スイッチの外部からの認識を可能とする透明部を有していることを特徴とする請求項７記載の画像読み取り装置。
【請求項９】
前記電源スイッチに対し前記オフ操作または前記オン操作がなされた際に前記開閉部材の開操作を促す通知を行う通知部を更に備えたことを特徴とする請求項６記載の画像読み取り装置。
【請求項１０】
前記開閉部材の開動作を検知する検知手段を更に備え、
前記制御部は、前記オン操作がなされ且つ前記検知手段にて前記開動作が検知された場合に前記他方側に向けて前記移動部材を移動させ、前記オフ操作がなされ且つ当該検知手段にて当該開動作が検知された場合に前記所定箇所へ当該移動部材を移動させることを特徴とする請求項９記載の画像読み取り装置。
【発明の詳細な説明】
【技術分野】
【０００１】
本発明は、原稿の画像を読み取る画像読み取り装置に関する。
【背景技術】
【０００２】
運搬時における破損などを防止するため、ミラーを支持する光学系支持部材の往復移動を固定部材を用いて断つ技術が提案されている（例えば、特許文献１参照）。
また、固定部材による固定の解除し忘れによる走査ユニットの損傷を防止するため、固定部材による走査ユニットの本体フレームへの固定が解除されているか否かを検出する検出部材を備えた画像読み取り装置が提案されている（例えば、特許文献２参照）。
さらに、据え付け時に自動的にキャリッジのロックを解除できる光学走査装置を提供するため、下方向に移動されるとスキャナキャリッジを固定するロッキング部材を有するキャリッジロッキングデバイスを備えた光学走査装置が提案されている（例えば、特許文献３参照）。
【０００３】
【特許文献１】特公平７−１０４５５８号公報
【特許文献２】特開２００５−１３４６７３号公報
【特許文献３】特開２００４−２９７７２号公報
【発明の開示】
【発明が解決しようとする課題】
【０００４】
ところで原稿に光を照射する照射部を備えた移動部材の移動規制は、例えばこの移動部材を固定する固定部材を設置することで行うことができる。しかしながらこの場合、ユーザに特別な操作を強いるとともに固定部材の設置し忘れなどによる移動部材の破損などが発生しうる。
本発明の目的は、ユーザに意識させることなく移動部材の移動規制が可能な画像読み取り装置を提供することにある。
【課題を解決するための手段】
【０００５】
請求項１に記載の発明は、原稿が置かれる原稿台を備えた装置本体と、前記原稿台に置かれた原稿に光を照射する照射部を備え、予め定められた移動経路に沿って移動可能に設けられた移動部材と、前記照射部から照射され前記原稿により反射された光を受光する受光部と、前記装置本体に開閉可能に設けられ、閉じられた際に前記原稿台に置かれた原稿を押さえる押さえ部を有した開閉部材と、前記開閉部材に設けられ当該開閉部材の閉動作に伴い予め定められた突出箇所にて前記移動経路上に突出し、当該突出箇所を挟んで相対する一方側および他方側のうちの当該一方側に位置する前記移動部材の当該他方側への移動を規制するとともに、当該開閉部材の開動作に伴い当該移動経路上から退避し当該規制を解除する突出部と、を備え、前記突出部は、前記開閉部材が前記装置本体に対し閉じられた状態において前記他方側から前記一方側へ向かう前記移動部材が当該一方側まで移動できるように構成されていることを特徴とする画像読み取り装置である。
請求項２に記載の発明は、前記突出部は、前記開閉部材に取り付け当該開閉部材から前記装置本体に向かって突出するように設けられた第１の部材と、前記第１の部材に取り付けられるとともに当該第１の部材に取り付けられた取り付け部を中心に揺動可能に設けられ且つ当該取り付け部から前記装置本体に向かって延びるように設けられ、当該装置本体側に自由端を有し当該取り付け部を挟み当該自由端側とは反対側に他端を有した第２の部材と、を備え、前記第２の部材の前記自由端が前記一方側に向かって移動するように当該第２の部材の揺動が行われることで前記他方側から当該一方側へ向かう前記移動部材が当該一方側へ移動し、前記第２の部材の前記自由端が前記他方側に向かって移動するように当該第２の部材の揺動が行われたときには当該第２の部材の前記他端側が前記第１の部材に接触して当該揺動が規制され、揺動が規制された当該第２の部材によって、前記一方側に位置する前記移動部材の当該他方側への移動が規制されることを特徴とする請求項１記載の画像読み取り装置である。
請求項３に記載の発明は、前記移動部材は、所定範囲を移動しながら前記照射部を用い前記原稿台に置かれた原稿に光を照射し、前記突出部は、前記移動部材の前記所定範囲における移動を規制しない位置にて前記規制を行うことを特徴とする請求項１又は２に記載の画像読み取り装置である。
請求項４に記載の発明は、前記突出部は、前記開閉部材の前記閉動作に伴い前記装置本体に設けられた貫通孔を通じて前記移動経路上に突出し、前記装置本体には、矩形状に形成され、第１の側辺と第１の側辺とは反対側に位置する第２の側辺とを含む４つの側辺を有した上面が設けられ、前記原稿台は、矩形状に形成され４つの側辺を有するとともに前記装置本体の前記上面に設けられ、且つ、当該４つの側辺のうちの一の側辺が前記装置本体の前記上面が有する前記４つの側辺の何れかの側辺に沿うように設けられ、前記開閉部材は、前記上面が有する前記４つの側辺のうちの前記第１の側辺に沿うように配置された回転軸であって当該第１の側辺側に寄せられた回転軸を中心に回転することで前記装置本体に対する前記開閉を行い、前記貫通孔は、矩形状に形成された前記原稿台の短辺に隣接した領域以外の領域および当該原稿台の長辺に隣接した領域以外の領域に設けられているとともに、前記第１の側辺側に位置する領域および前記第２の側辺側に位置する領域のうちの当該第１の側辺側に位置する領域に設けられていることを特徴とする請求項１乃至３のいずれかに記載の画像読み取り装置である。
請求項５に記載の発明は、前記突出部は、前記一方側に位置する前記移動部材の前記他方側への移動であって一方向に向かう移動を規制し、前記一方側に位置する前記移動部材の前記一方向とは反対方向への移動を規制する規制部を更に備えることを特徴とする請求項１乃至４のいずれかに記載の画像読み取り装置である。
請求項６に記載の発明は、前記突出部は、前記一方側に位置する前記移動部材であって予め定められた所定箇所に位置する当該移動部材の前記他方側への移動を規制し、電源スイッチと、前記電源スイッチに対しオフ操作がなされた際に前記移動部材を前記所定箇所へ移動させ、当該電源スイッチに対しオン操作がなされた際に当該移動部材を前記他方側へ移動させる制御部と、を更に備えることを特徴とする請求項１乃至５の何れかに記載の画像読み取り装置である。
請求項７に記載の発明は、前記電源スイッチは、前記開閉部材の開操作を行わなければ前記オン操作および前記オフ操作ができないように配置されていることを特徴とする請求項６記載の画像読み取り装置である。
請求項８に記載の発明は、前記開閉部材は、当該開閉部材が閉じられている場合に前記電源スイッチの外部からの認識を可能とする透明部を有していることを特徴とする請求項７記載の画像読み取り装置である。
請求項９に記載の発明は、前記電源スイッチに対し前記オフ操作または前記オン操作がなされた際に前記開閉部材の開操作を促す通知を行う通知部を更に備えたことを特徴とする請求項６記載の画像読み取り装置である。
【０００６】
請求項１０に記載の発明は、前記開閉部材の開動作を検知する検知手段を更に備え、前記制御部は、前記オン操作がなされ且つ前記検知手段にて前記開動作が検知された場合に前記他方側に向けて前記移動部材を移動させ、前記オフ操作がなされ且つ当該検知手段にて当該開動作が検知された場合に前記所定箇所へ当該移動部材を移動させることを特徴とする請求項９記載の画像読み取り装置である。
【発明の効果】
【０００７】
本発明の請求項１によれば、ユーザに意識させることなく移動部材の移動が規制可能となる。
本発明の請求項３によれば、原稿に対する光の照射を突出部により規制されずに行うことができ、原稿の画像読み取りを適切に行うことが可能となる。
本発明の請求項４によれば、本発明を採用しない場合に比べ、突出部による原稿の破損などを抑制することができる。
本発明の請求項５によれば、本発明を採用しない場合に比べ移動部材の移動がより規制されるようになり、搬送時等における移動部材の破損などをより抑制可能となる。
【０００８】
本発明の請求項６によれば、ユーザに意識させることなく移動規制がなされる所定箇所に移動部材を配置可能となる。
本発明の請求項７によれば、例えば、電源スイッチのオフ操作がなされる際には突出部が所定の経路上から退避している状態となり、移動部材を移動規制がなされる所定箇所に配置可能となる。
本発明の請求項８によれば、外部からの電源スイッチの認識が可能となり、画像読み取り装置の操作性を向上させることができる。
本発明の請求項９によれば、例えば、電源スイッチの操作が開閉部材を開けずにできる場合であっても、所定箇所に移動部材を配置可能となる。
本発明の請求項１０によれば、本発明を採用しない場合に比べ、例えば所定箇所への移動部材の配置をより確実に行うことができる。
【発明を実施するための最良の形態】
【０００９】
―第１の実施形態―
以下、添付図面を参照して、本発明を実施するための最良の形態について詳細に説明する。
図１は、第１の実施形態に係る画像読み取り装置１の全体構成を示す図である。
同図に示す画像読み取り装置１は、原稿を走査（スキャン）することによって画像を読み込むスキャナ装置１００と、スキャナ装置１００に置かれた原稿を押さえるプラテンカバー２００（開閉部材の一例）とを備えている。
【００１０】
スキャナ装置１００は、画像を読み込むべき原稿を静止させた状態で載せる矩形状のプラテンガラス１１（原稿台の一例）（図２も参照）を備えている。また、スキャナ装置１００は、プラテンガラス１１に載せられた原稿の読み取りを行う読み取りユニット１２と、この読み取りユニット１２を収容する装置本体１３と、ＣＣＤイメージセンサ５６（後述）から得られた画像情報を処理するとともに、各部、各装置の動作を制御する制御部７０とを有している。
【００１１】
読み取りユニット１２は、主走査方向に沿って配置されている。また、読み取りユニット１２は、原稿に光を照射する照射部の一例としての照明ランプ５０と、原稿から得られた反射光を受光し反射する第１ミラー５１と、第１ミラー５１から得られた光を順次反射し後述するＣＣＤイメージセンサ５６へ提供する第２ミラー５２、第３ミラー５３、第４ミラー５４とを備えている。ここで、第１ミラー５１〜第４ミラー５４の各々は、所定の厚みを有した板状に形成され、主走査方向に沿って配置されている。また、読み取りユニット１２は、第４ミラー５４から得られた光学像を光学的に縮小する結像用レンズ５５と、結像用レンズ５５によって結像された光学像を光電変換する受光部の一例としてのＣＣＤイメージセンサ５６とを備えている。
【００１２】
また、移動部材の一例としての読み取りユニット１２は、略直方体状に形成されたハウジング６０を備えている。このハウジング６０は、照明ランプ５０、第１ミラー５１〜第４ミラー５４、結像用レンズ５５、およびＣＣＤイメージセンサ５６を保持するとともに、主走査方向に沿って配置されている。また、読み取りユニット１２は、図中矢印Ｘで示す副走査方向（主走査方向に直交する方向）にスライド可能に配置されている。付言すれば、読み取りユニット１２は、図中Ｘで示す副走査方向に沿った経路に沿って移動可能に設けられている。また、読み取りユニット１２は、図中背面側に位置し副走査方向に延びるガイドシャフト１２５によってそのスライドがガイドされる構成となっている。
【００１３】
装置本体１３は、ガイドシャフト１２５の両端をそれぞれ保持する軸受部１４を有している。
また、装置本体１３は、読み取りユニット１２のハウジング６０の底部に取り付けられた摺動部材６０ａと接触して読み取りユニット１２を支持するとともに、読み取りユニット１２を副走査方向にガイドするガイド部１５を備えている。なお、このガイド部１５は、図中前面側（画像読み取り装置１のフロント側）に位置している。
【００１４】
このように構成された画像読み取り装置１において、プラテンガラス１１に載せられた原稿の画像が読み取られる場合、読み取りユニット１２は、駆動モータ（不図示）により駆動される例えばベルト部材（不図示）によって図中矢印Ｂに示すスキャン方向（副走査方向）に移動する。なお、この際、読み取りユニット１２は、ガイドシャフト１２５およびガイド部１５によりガイドされる。そして、照明ランプ５０の光が原稿の被読み取り面に照射され、原稿からの反射光が第１ミラー５１、第２ミラー５２、第３ミラー５３、および第４ミラー５４の順に反射されて結像用レンズ５５に導かれる。
そして、結像用レンズ５５に導かれた光は、ＣＣＤイメージセンサ５６の受光面に結像される。ここで、本実施形態におけるＣＣＤイメージセンサ５６は１次元のセンサであり、１ライン分を同時に処理している。そして、スキャン方向に読み取りユニット１２が更に移動すると、読み取りユニット１２は原稿の次のラインを読み取る。これを原稿全体に亘って実行することで、１枚の原稿読み取りが完了する。
【００１５】
図２は、画像読み取り装置１の斜視図である。本図を用い画像読み取り装置１についてさらに説明する。
ここでプラテンカバー２００は、平板状に形成されるとともに、画像読み取り装置１のリア側にて、スキャナ装置１００に取り付けられている。そして、プラテンカバー２００は、スキャナ装置１００への取り付け部を中心に開閉可能（揺動可能）となっており、閉じられた場合にプラテンガラス１１および装置本体１３の上面を覆う。また、開かれた場合にプラテンガラス１１および装置本体１３の上面を露出させる。
また、プラテンカバー２００は、一方の側面側から他方の側面側にかけて貫通配設された貫通孔２１０を有している。また、貫通孔２１０を塞ぐ、例えばガラスにより形成された透明板２２０（透明部）を有している。また、プラテンカバー２００は、スキャナ装置１００側の側面に、スキャナ装置１００側に突出し規制手段、規制部として機能する突出部２３０を備えている。
【００１６】
一方、スキャナ装置１００は、装置本体１３の矩形状に形成された上面（プラテンカバー２００との対向面）に、スキャナ装置１００の内部と外部とを通じさせる貫通孔１３１を有している。この貫通孔１３１は、上記突出部２３０が通過可能な大きさで形成され、プラテンカバー２００が閉じられた場合に、突出部２３０を通過させる。これによって、スキャナ装置１００の内部に突出部２３０が突出する状態となる。
また、スキャナ装置１００は、ユーザ（操作者）により操作される電源スイッチ８０と、ユーザに対して情報を表示しまたユーザからの各種設定を受け付けるＵＩ（User Interface）８１を備えている。
【００１７】
電源スイッチ８０は、装置本体１３の上面に形成されている。このため、プラテンカバー２００が閉じられた場合に、プラテンカバー２００によって覆われる状態となる。但し、電源スイッチ８０は、プラテンカバー２００が閉じられた際、貫通孔２１０内に位置するように配置されている。このため、プラテンカバー２００が閉じられたとしても、ユーザは、プラテンカバー２００の外部から電源スイッチ８０を認識することができる。なお、プラテンカバー２００が閉じられた際、電源スイッチ８０は、外部からのその存在が認識できるものの、透明板２２０が存在するために外部からの操作はできない状態となっている。付言すれば、プラテンカバー２００を開けなければ電源スイッチ８０の操作ができない状態となっている。
通知部の一例してのＵＩ８１は、装置本体１３のフロント側における側面と、上面との接合部に配置されている。また、ＵＩ８１は、プラテンカバー２００が閉じられたとしても、プラテンカバー２００により覆われない位置に配置されている。このため、ＵＩ８１は、プラテンカバー２００が閉じられた状態においてもユーザに情報の表示等が可能となる。
【００１８】
また、スキャナ装置１００は、ガイドシャフト１２５に、リング状に形成され読み取りユニット１２のスライドを規制する規制部の一例としてのストッパ１２６を備えている。このストッパ１２６は、読み取りユニット１２よりもスキャン方向上流側に配置され、読み取りユニット１２のスキャン方向上流側への移動を規制する。
また、スキャナ装置１００の読み取りユニット１２は、略直方体状に形成されたハウジング６０のリア側の側面に、リア側に向かって突出した突出部６１を有している。この突出部６１は、ハウジング６０のスキャン方向上流側に配置されている。また、突出部６１は、そのリア側における端部が、貫通孔１３１よりもリア側に位置するように配置されている。
【００１９】
次に、電源スイッチ８０が操作された際の画像読み取り装置１の動作について説明する。
図３は、電源スイッチ８０が操作された際の画像読み取り装置１の動作を説明するための図である。
画像読み取り装置１の制御部７０は、電源スイッチ８０が操作された際、具体的には電源スイッチ８０のオンまたはオフがなされた際、次のような動作を実行する。
まず制御部７０は、電源スイッチ８０がオフとされた際、同図（ａ）に示すように読み取りユニット１２をスキャン方向とは反対方向（以下、「リターン方向」と称する場合がある）にスライドさせ、貫通孔１３１よりもスキャン方向上流側に突出部６１が位置するように読み取りユニット１２を配置する。付言すれば、読み取りユニット１２をスライドさせ、貫通孔１３１よりもスキャン方向上流側に突出部６１が位置する所定の位置（以下、この位置を「搬送位置」と称する場合がある）に、読み取りユニット１２を停止させる。
【００２０】
また、制御部７０は、電源スイッチ８０がオフからオンとされた場合、同図（ｂ）に示すように読み取りユニット１２をスキャン方向にスライドさせ、貫通孔１３１よりもスキャン方向下流側に突出部６１が位置するように読み取りユニット１２を配置する。付言すれば、読み取りユニット１２をスライドさせ、貫通孔１３１よりもスキャン方向下流側に突出部６１が位置する所定の位置（以下、この位置を「画像読み取り停止位置」と称する場合がある）に、読み取りユニット１２を停止させる。
【００２１】
次に、プラテンカバー２００を開閉した場合の画像読み取り装置１の状態について説明する。
図４は、画像読み取り装置１を右側面から眺めた場合の断面図である。
同図（ａ）に示すように、プラテンカバー２００が閉じた状態の場合、プラテンカバー２００における突出部２３０が、貫通孔１３１を通じ装置本体１３の内部に入り込み、ハウジング６０における突出部６１と対向する状態となる。付言すれば、読み取りユニット１２がスライドする際の突出部６１の通過領域上に、突出部２３０が位置する状態となる。さらに付言すれば、突出部２３０は、読み取りユニット１２の移動経路上に突出する状態となる。この結果、読み取りユニット１２のスライドは、突出部２３０により規制される。
そして、プラテンカバー２００が開いた場合には、同図（ｂ）に示すように、プラテンカバー２００の上方への移動に伴って、突出部２３０も上方へ移動する。このため、突出部６１の通過領域上から突出部２３０が外れ、付言すれば突出部２３０が読み取りユニット１２の移動経路から退避し、読み取りユニット１２のスライドが可能となる。
【００２２】
ここで画像読み取り装置１が搬送される場合に、読み取りユニット１２が固定されていないと、搬送時の振動、衝撃等により読み取りユニット１２が破損等するおそれがある。このため本実施形態における画像読み取り装置１ではこの破損等を上記突出部２３０等により抑制している。
【００２３】
詳細には、本実施形態にて画像読み取り装置１の搬送がなされる際、通常、まずユーザによりプラテンカバー２００が開かれ、電源スイッチ８０がオフ状態とされる。そして、電源スイッチ８０がオフとされると、上記のとおり制御部７０が読み取りユニット１２をスライドさせ、読み取りユニット１２を搬送位置に停止させる。なお、この搬送位置では、上記のとおり、貫通孔１３１よりもスキャン方向上流側に突出部６１が位置するようになる。その後、ユーザによりプラテンカバー２００が閉じられ、貫通孔１３１を通じてスキャナ装置１００の内部に突出部２３０が突出する。この結果、同図（ａ）に示したように、突出部６１の通過領域上に、突出部２３０が位置するようになる。このため、読み取りユニット１２は、スキャン方向下流側への移動が突出部２３０により規制されるとともに、リターン方向への移動がストッパ１２６により規制される。
なお、ストッパ１２６は、ガイドシャフト１２５上に限らず、装置本体１３の内壁面から突出させて形成することもできる（図３参照）。また、読み取りユニット１２のハウジング６０側に突出部（不図示）を形成しこの突出部をストッパとしてもよい。
【００２４】
そして、搬送が終了し画像読み取り装置１が再度使用される場合は、まずユーザによりプラテンカバー２００が開放される。なお、このプラテンカバー２００の開放により突出部２３０が上方へ移動し、突出部６１の通過領域上から突出部２３０が外れる状態（通過領域上に位置しない状態）となる。そして、電源スイッチ８０がオンとされると、制御部７０は、読み取りユニット１２をスライドさせ、上記画像読み取り停止位置に停止させる。そして、例えばＵＩ８１にてスキャンの実行動作を受け付けた場合には、制御部７０は、読み取りユニット１２をスキャン方向にスライドさせ画像読み取りを実行する。
【００２５】
本実施形態によれば、画像読み取り装置１を搬送する際、ユーザは、特に意識することなく読み取りユニット１２を固定することができる。また、画像読み取り装置１の搬送が終了し画像読み取り装置１を再度使用する際、ユーザは、特に意識をすることなく読み取りユニット１２の固定を解除することができる。言い換えれば、ユーザに、読み取りユニット１２の固定、固定解除という動作を強いることなく、読み取りユニット１２の固定、固定解除を行うことができる。
また、ユーザ自身が読み取りユニット１２の固定解除を行う場合、固定解除のし忘れによる読み取りユニット１２の破損などが懸念されるが、本実施形態においてはこのような破損も抑制可能となる。
さらに、本実施形態では、プラテンカバー２００が閉じられた状態において、読み取りユニット１２の固定に用いる固定部材（突出部２３０）が、画像読み取り装置１の外部に突出（露出）しない構成となっている。固定部材が外部に突出している場合には、搬送中や設置時に周辺の配置物が固定部材に接触するおそれがある。また、周辺の配置物が固定部材に引っ掛かったりするおそれもある。さらには、固定部材を介し読み取りユニット１２に衝撃等を伝えてしまうおそれもある。
【００２６】
なお、上記では透明板２２０をプラテンカバー２００に固定した状態で取り付けた例を説明したが、透明板２２０をプラテンカバー２００に対し開閉可能に設け、貫通孔２１０を通じ電源スイッチ８０が操作される構成とすることもできる。そしてこの場合は、透明板２２０の閉動作に連動してスキャナ装置１００内部に突出する突出部（不図示）を設けることが好ましい。この構成では、透明板２２０が閉じられた際に突出部により読み取りユニット１２のスライドが規制され、透明板２２０が開かれることによりこのスライドの規制が解除される。このような態様であっても、ユーザ（作業者）は、特に意識することなく読み取りユニット１２を固定することができ、また固定解除を行うことができる。なおこの態様における透明板２２０は、スイッチ用開閉部材として機能することとなる。
【００２７】
ここで図５は、装置本体１３の上面を示したものである。なお、本図においては、ＵＩ８１の図示を省略している。
ここで、上記貫通孔１３１（突出部２３０の通過位置）は、装置本体１３の矩形上に形成された上面の４隅の領域のいずれかに設けることが好ましい。またこの４隅の領域のうちプラテンカバー２００が取り付けられた側の２つの領域の何れかに設けることがより好ましい。
【００２８】
より詳細に説明すると、貫通孔１３１は、装置本体１３の上面の外縁部と、プラテンガラス１１の短辺を延長した延長線と、長辺を延長した延長線とにより囲まれる領域Ａ〜Ｄのいずれかに形成することが好ましい。付言すれば、貫通孔１３１は、プラテンガラス１１の短辺に隣接した領域以外の領域、およびプラテンガラス１１の長辺に隣接した領域以外の領域である領域Ａ〜Ｄに設けることが好ましい。
例えば幅広の原稿がプラテンガラス１１に置かれる場合、原稿がプラテンガラス１１の外縁部からはみ出す場合がある。この場合、領域Ａ〜Ｄ以外に貫通孔１３１（突出部２３０の通過位置）が存在すると、突出部２３０により原稿が損傷等するおそれがある。このため、上記のように領域Ａ〜Ｄに貫通孔１３１を設けることが好ましい。
また、突出部２３０がスキャナ装置１００を操作するユーザ側に存在すると、原稿を置く際に突出部２３０が障害となったり、突出部２３０により原稿が破損等したりするおそれもある。このため、領域Ａ〜Ｄのうち、プラテンカバー２００が取り付けられる側の２つの領域Ａ，Ｂのいずかに設けることが好ましい。付言すれば、ユーザから離れた位置に存在する２つの領域Ａ，Ｂのいずれかに設けることが好ましい。
【００２９】
―第２の実施形態―
ここで図６および図７は、第２の実施形態における画像読み取り装置１の構成を示している。
図６に示すように、第２の実施形態におけるプラテンカバー２００は、第１の実施形態と同様に、スキャナ装置１００における装置本体１３の上面側に突出する突出部２４０を備えている。また、スキャナ装置１００は、その内部に、装置本体１３の上面から突出するスライド軸２６を有しプラテンカバー２００の開閉を検知する検知機構２０を備えている。
本実施形態では、プラテンカバー２００が閉じられた際、スライド軸２６が突出部２４０により押圧される。そして、プラテンカバー２００がスキャナ装置１００に対し所定の角度になった際に、検知機構２０から所定の信号が制御部７０に出力される。なお、検知機構２０は、後述するように、プラテンカバー２００が閉じられた際に読み取りユニット１２のスライドも規制する。
【００３０】
次に図７を用いて検知機構２０について説明する。
検知機構２０は、上記のように装置本体１３の上面から突出するスライド軸２６と、各種部材を支持する板金により形成された支持フレーム２１と、フォトインタラプタ２２とを備えている。また、スライド軸２６の下端部且つスライド軸２６の一側面に、フォトインタラプタ２２に対向配置される遮光板２３を有している。また、スライド軸２６の下端部且つスライド軸２６の他側面に、突出板２４を有している。また、スライド軸２６を上方に付勢するコイルスプリング２５を有している。なお、本実施形態では、突出板２４が規制手段、規制部として機能する。
【００３１】
この検知機構２０では、プラテンカバー２００からの押圧力によりスライド軸２６が下方にスライドすると、フォトインタラプタ２２の対向位置にあった遮光板２３が下方にスライドする。そして、プラテンカバー２００がスキャナ装置１００に対し所定の角度になった際に、フォトインタラプタ２２から制御部７０に対し所定の信号が出力される。これによって制御部７０は、プラテンカバー２００の閉動作および開動作を検知する。
また、プラテンカバー２００からの押圧力によりスライド軸２６が下方にスライドした場合には、スライド軸２６に連動して突出板２４も下方にスライドする。これにより読み取りユニット１２のスライドも規制される。
【００３２】
図８は、突出板２４と読み取りユニット１２との関係を示した図である。
同図（ａ）に示すように、プラテンカバー２００がある程度閉じられると、プラテンカバー２００の突出部２４０（本図では不図示、図６参照）によるスライド軸２６の押圧が開始される。そして、プラテンカバー２００が更に閉じられると、スライド軸２６の下方へのスライドに伴い突出板２４も下方へ移動する。この結果、同図（ｂ）に示すように、突出部６１の通過領域上に、突出板２４が位置するようになる。この結果、読み取りユニット１２は、スキャン方向への移動が突出板２４より規制されるとともに、リターン方向への移動がストッパ１２６により規制される。なお、同図（ａ）から同図（ｂ）に至る過程において、フォトインタラプタ２２から制御部７０に信号が出力される。これによりプラテンカバー２００の閉動作も検知される。
【００３３】
このように本実施形態ではプラテンカバー２００の検知機構２０に、読み取りユニット１２のスライドを規制する部材（突出板２４）を設けている。言い換えると、検知機構２０は、読み取りユニット１２が搬送位置にある場合には読み取りユニット１２を固定する機能を有し、読み取りユニット１２が画像読み取り停止位置にある場合にはプラテンカバー２００の開閉検知を行う機能を有している。このように、他の機構に対し読み取りユニット１２のスライドを規制する機能を持たせることもできる。
【００３４】
なお、上記第１の実施形態では、電源スイッチ８０を装置本体１３の上面に設け、プラテンカバー２００が閉じられている場合には電源スイッチ８０が操作できない構成としたが、これ以外の構成とすることもできる。具体的には装置本体１３の側面などに電源スイッチ８０を設け、プラテンカバー２００が閉じられた状態でも電源スイッチ８０の操作が可能な構成とすることもできる。なお、この構成における読み取りユニット１２の固定、固定解除は、例えば以下のように行う。
【００３５】
まず読み取りユニット１２の固定を行う場合について説明する。制御部７０は、電源スイッチ８０が操作されオフとされた場合に、ＵＩ８１に、例えば「プラテンカバー２００を開けて下さい」を旨とする指示を表示する。次いで、制御部７０は、プラテンカバー２００の開放を検知機構２０を介し検知すると、読み取りユニット１２を上記搬送位置まで移動させた後、各部に対する給電を停止する（電源供給を停止する）。そして、ユーザによりプラテンカバー２００が閉じられると、突出板２４が突出部６１の通過領域上に位置し、読み取りユニット１２のスライドが規制される。
【００３６】
次に搬送が終了し画像読み取り装置１の設置がなされた後の固定解除について説明する。制御部７０は、電源スイッチ８０が操作されオンとされた場合に、ＵＩ８１に、例えば「プラテンカバー２００を開けて下さい」を旨とする指示を表示する。次いで、制御部７０は、検知機構２０を介しプラテンカバー２００の開放を検知すると、読み取りユニット１２を上記画像読み取り停止位置まで移動させる。これにより、読み取りユニット１２によるスキャン動作が可能となり原稿の画像読み取りが可能となる。
【００３７】
―第３の実施形態―
次に第３の実施形態について説明する。
第１の実施形態では、突出部２３０により直接読み取りユニット１２のスライドを規制したが、この態様では突出部２３０の突出量が大きくなってしまう。そしてこの場合、例えば幅広の原稿を設置する際に突出部２３０が原稿の設置動作を阻害する場合がある。また、突出部２３０により原稿が破損する場合もある。そこで、第３の実施形態では、スキャナ装置１００側に、突出部２３０により動作し読み取りユニット１２のスライドを規制する規制機構を設けている。
【００３８】
図９は、規制機構を説明するための図である。
同図（ａ）に示すように、スキャナ装置１００は、装置本体１３の内部に規制機構３０を備えている。この規制機構３０は、Ｌ字状に形成された規制部材３１と、規制部材３１を揺動（回転）可能に指示するピン３２と、規制部材３１を上方（プラテンカバー２００側）に付勢する不図示の付勢部材とを備えている。
プラテンカバー２００が開いた状態では、同図（ａ）に示すように、付勢部材によって規制部材３１が付勢されている。そしてこの状態では、突出部６１の通過領域上に、規制部材３１が位置しておらず読み取りユニット１２のスライドが可能である。
【００３９】
そして、同図（ｂ）に示すように、プラテンカバー２００が閉じられると、規制部材３１は、突出部２３０により押圧され、ピン３２を支点として反時計周りに回転する。これにより、規制部材３１は、突出部６１の通過領域上に位置するようになり、読み取りユニット１２のスライドを規制する。なお、本実施形態では、規制部材３１の揺動量（揺動角度）を最適化するため、プラテンカバー２００が閉じられた状態における規制部材３１の揺動中心（ピン３２）と突出部２３０との距離Ｘを、Ｘ＞０の範囲で設定する。
【００４０】
―第４の実施形態−
ここで図１０は、第４の実施形態を説明するための図である。
上記第１の実施形態における突出部２３０は、単一に部材により構成されていたが、図１０（ａ）に示すように、突出部２３０は、第１突出部材２３１と第２突出部材２３２とにより構成することもできる。
ここで第１突出部材２３１は、基体となる部材でありプラテンカバー２００から装置本体１３側に突出するように配置されている。なお、この第１突出部材２３１や、上記第１の実施形態における突出部２３０はプラテンカバー２００と一体で形成することもできる。
【００４１】
第２突出部材２３２は、第１突出部材２３１に揺動（回転）可能に取り付けられ、また第１突出部材２３１から吊り下がった状態で配置されている。また、第２突出部材２３２は、突出部６１の通過領域上に位置するように配置されている。さらに、第２突出部材２３２は、第１突出部材２３１の側面に接触し、第２突出部材２３２のスキャン方向への回転を規制する接触部２３２ａを有している。このため、第２突出部材２３２は、リターン方向への回転が許容され、スキャン方向への回転が所定位置にて停止（規制）されるようになっている。
【００４２】
この結果、本実施形態では、上記第１の実施形態のようにプラテンカバー２００の開放を行うことなく電源スイッチ８０のオフのみで、同図（ｂ）に示すように、読み取りユニット１２を搬送位置まで移動させることが可能となる。付言すれば、突出部２３０は、読み取りユニット１２のリターン方向への移動を許容する。即ち、搬送位置への読み取りユニット１２の移動を許容する。そして、読み取りユニット１２が搬送位置まで移動した場合、読み取りユニット１２は、第２突出部材２３２によりスキャン方向への移動が規制される。
【００４３】
なお、画像読み取り装置１の設置後における読み取りユニット１２の固定解除（スライド解除）は次にように行われる。
例えば、第１の実施形態のように電源スイッチ８０がプラテンカバー２００により覆われるように設けられている場合は、プラテンカバー２００の開放により、突出部２３０が突出部６１の通過領域から外れる。そして、制御部７０により、画像読み取り停止位置まで読み取りユニット１２が移動する。
また例えば、電源スイッチ８０が上記のようにプラテンカバー２００により覆われないように設けられている場合には、電源スイッチ８０のオン操作によりＵＩ８１上に、「プラテンカバー２００を開けて下さい」を旨とする表示がなされる。そして、ユーザによるプラテンカバー２００の開放により突出部６１の通過領域から突出部２３０が外れる。また、検知機構２０によりプラテンカバー２００の開放が検知されると、読み取りユニット１２が画像読み取り停止位置まで移動する。
【００４４】
なお、上記第１の実施形態〜第４の実施形態では、プラテンカバー２００に突出部２３０等を設けた場合を説明したが、スキャナ装置１００に対し順次原稿を搬送する原稿送り装置が設けられる場合であっても上記と同様の機能を実現できる。また、上記第１の実施形態〜第４の実施形態では、スキャン方向の上流側にて読み取りユニット１２のスライドを規制したが、例えばスキャン方向の下流側にて読み取りユニット１２のスライドを規制することもできる。また、上記第１の実施形態〜第４の実施形態では、ＣＣＤイメージセンサ５６が読み取りユニット１２に設けられた所謂ユニット走査方式を採用した画像読み取り装置１を一例に説明した。しかしながらこのユニット走査方式に限らず、フルレートキャリッジ、ハーフレートキャリッジを備えた画像読み取り装置に対しても、上記第１の実施形態〜第４の実施形態における構成を適用することができる。
【図面の簡単な説明】
【００４５】
【図１】第１の実施形態に係る画像読み取り装置の全体構成を示す図である。
【図２】画像読み取り装置の斜視図である。
【図３】電源スイッチが操作された際の画像読み取り装置の動作を説明するための図である。
【図４】画像読み取り装置を右側面から眺めた場合の断面図である。
【図５】装置本体の上面を示したものである。
【図６】第２の実施形態における画像読み取り装置の構成を示している。
【図７】第２の実施形態における画像読み取り装置の構成を示している。
【図８】突出板と読み取りユニットとの関係を示した図である。
【図９】規制機構を説明するための図である。
【図１０】第４の実施形態を説明するための図である。
【符号の説明】
【００４６】
１…画像読み取り装置、１１…プラテンガラス、１２…読み取りユニット、１３…装置本体、２０…検知機構、５０…照明ランプ、５６…ＣＣＤイメージセンサ、７０…制御部、８０…電源スイッチ、８１…ＵＩ、１２６…ストッパ、１３１…貫通孔、２００…プラテンカバー、２２０…透明板、２３０…突出部
【図１】
0005194977.tif 000002
【図２】
0005194977.tif 000003
【図３】
0005194977.tif 000004
【図４】
0005194977.tif 000005
【図５】
0005194977.tif 000006
【図６】
0005194977.tif 000007
【図７】
0005194977.tif 000008
【図８】
0005194977.tif 000009
【図９】
0005194977.tif 000010
【図１０】
0005194977.tif 000011